(57)【特許請求の範囲】
【請求項１】
下方に折り曲げられた底板部の周縁部と、テーパー形状を有する筒状胴部の下端部とを接着することによって、底板部より下方に突出する脚部を設けた紙製容器本体に、前記胴部の外周面との間に空隙を形成するように前記胴部に捲回部材を捲回させた断熱性二重紙容器において、
前記捲回部材の下端部が、前記脚部の外周面から下端面を経て内周面に至るように巻き込まれて巻き込み部が形成され、
前記脚部の内周面に向き合う前記巻き込み部が前記脚部の内周面に接着しており、
前記胴部の上端部が外方に折り返されることによってフランジが形成され、
前記捲回部材の上端部が、容器本体のフランジ下端面に当接することを特徴とする断熱性二重紙容器。
【請求項２】
前記巻き込み部が、前記脚部の下端面に当接していることを特徴とする請求項１に記載の断熱性二重紙容器。
【請求項３】
前記脚部の外周面と、それに向き合う前記捲回部材の下方部分とが離間するように形成されていることを特徴とする請求項１又は２に記載の断熱性二重紙容器。
【請求項４】
前記脚部を構成する前記底板部の周縁部が、前記筒状胴部の下端部直下を経て外方へと湾曲しながら延長されたカール部を有し、かつ、前記巻き込み部が、前記底板部の周縁部のカール部に接することを特徴とする請求項３に記載の断熱性二重紙容器。
【請求項５】
前記捲回部材の上端部に、前記上端部を内方へ折り返した折り返し部又は内方へ湾曲させたカール部が形成され、前記折り返し部又はカール部が容器本体のフランジ下端面に当接することを特徴とする請求項１乃至４のいずれか１項に記載の断熱性二重紙容器。
【発明の詳細な説明】
【０００１】
【発明の属する技術分野】
本発明は、即席麺、即席スープ等のインスタント食品、または電子レンジにて解凍調理する冷凍食品などに使用するための、断熱性を有する紙容器に関するものである。
【０００２】
【従来技術】
従来より、上記の如き断熱性を有する紙容器としては、紙容器本体の外側部に空隙を設けるように断熱紙を捲きつけたものが多数あり、その構造としては例えば、図５（ａ）、（ｂ）または（ｃ）に示すようなものがある。
【０００３】
【発明が解決しようとする課題】
しかしながら、図５（ａ）または（ｂ）に示される如き、容器本体１１０胴部１１１の外壁面に捲着された捲回部材１２０の下端断面が下方に露出した容器では、流通・保存時の湿度が高い場合や、調理または喫食時に食卓が濡れている場合等に、その露出断面から吸湿または吸水し、その部分がふやけて形状変化を起こし、外観を損ねたり、容器本体から剥離してしまうこともあるという問題があった。更に、捲回部材１２０の下端部をカールさせた図５（ｃ）に示される構造を有する容器もあるが、かかる従来の容器では、捲回部材はブランクの状態から容器本体１１１の側面に当接するように捲回して装着されるかまたは、予め成形したものを容器本体１１１の下方から挿嵌して装着される。この際、捲回部材の下端部１２２と容器本体下端部１１２の面を同一面に調整することは、製造工程上の困難を伴う。そして、捲回部材の下端部１２２が容器本体下端部１１２より上方に位置した場合には容器本体の下端部側面が露出することとなり外観上好ましくない。また、捲回部材の下端部１２２が容器本体下端部１１２より下方に位置した場合等、下端部が不揃いになると、流通・保存時等に容器の上下方向に圧力が加わった場合に容器本体１１１の脚部のみでまたは捲回部材の下端のみでその圧力を支えることとなる。従って、容器本体または捲回部材の材質が脆弱な場合にはそのような圧力に絶えることができずに容器が破損するおそれがある。
【０００４】
そこで本発明は、外観、耐水性、耐圧性および生産性に優れた、断熱性二重紙容器を提供することを目的とする。
【０００５】
【課題を解決するための手段】
本発明は前記目的を達成するものであり、以下の（１）〜（５）をその構成要旨とする。
【０００６】
（１）下方に折り曲げられた底板部の周縁部と、テーパー形状を有する筒状胴部の下端部とを接着することによって、底板部より下方に突出する脚部を設けた紙製容器本体に、前記胴部の外周面との間に空隙を形成するように前記胴部に捲回部材を捲回させた断熱性二重紙容器において、
前記捲回部材の下端部が、前記脚部の外周面から下端面を経て内周面に至るように巻き込まれて巻き込み部が形成され、
前記脚部の内周面に向き合う前記巻き込み部が前記脚部の内周面に接着しており、
前記胴部の上端部が外方に折り返されることによってフランジが形成され、
前記捲回部材の上端部が、容器本体のフランジ下端面に当接することを特徴とする断熱性二重紙容器（本願第一発明）。このように容器の脚部が捲回部材の巻き込み部で被覆された構造とすると、脚部が露出しないので外観を損ねることがなく、また捲回部材断面及び容器脚部の下端面から吸水してふやけたり、剥離したりすることがない。従って、優れた外観と耐水性が提供される。更に、捲回部材成形の際に予め巻き込み部を形成しておくことによって、簡単に容器本体に挿嵌接着することができるので生産性にも優れる。
【０００７】
（２）前記巻き込み部が、前記脚部の下端面に当接していることを特徴とする本願第一発明の断熱性二重紙容器（本願第二発明）。このような構造とすることで、容器本体と捲回部材との接合がより確実になり、流通・保存時等に容器の上下方向に圧力が加わった場合、その圧力を容器の脚部と捲回部材の前記巻き込み部の双方で支えることとなるので、耐圧強度が向上する。
【０００８】
（３）前記脚部の外周面と、それに向き合う前記捲回部材の下方部分とが離間するように形成されていることを特徴とする本願第一または第二発明にかかる断熱性二重紙容器（本願第三発明）。このような構造とすれば、捲回部材の巻き込み部底部の横幅が確保され、調理・喫食時の容器の安定性が増し、容器本体脚部の断熱性も維持できる。
【０００９】
（４）前記脚部を構成する前記底板部の周縁部が、前記筒状胴部の下端部直下を経て外方へと湾曲しながら延長されたカール部を有し、かつ、前記巻き込み部が、前記底板部の周縁部のカール部に接することを特徴とする本願第三発明の断熱性二重容器（本願第四発明）。この構造では、容器本体脚部とそれに向き合う捲回部材下方部分との間の空隙が、スペーサーの役割を果たすカール部によってより強固に確保されるので、容器の横方向の耐圧性を高めることができる。
【００１０】
（５）前記捲回部材の上端部に、前記上端部を内方へ折り返した折り返し部又は内方へ湾曲させたカール部が形成され、前記折り返し部又はカール部が容器本体のフランジ下端面に当接することを特徴とする請求項１乃至４のいずれか１項に記載の断熱性二重紙容器（本願第五発明）。このような構造とすることによって、容器開口部の強度が増し、また飲食に適した形態とすることができる。
【００１１】
【発明の実施の形態】
以下、図面に基づき本発明をより詳細に説明する。
【００１２】
図１は、本発明の一実施形態にかかる容器を示す、一部が省略された縦断面図である。図１において、断熱性二重紙容器１は容器本体１０と捲回部材２０を備えている。
【００１３】
容器本体１０は、上方に向かうに従って外径が大きくなる形状（テーパー形状）を有する筒状胴部１１と底板部１２とが連結され、すなわち、筒状胴部１１の下端部を底板部１２の周縁部に捲き絞めて接着することによって一体的に脚部１３が形成されている。さらに容器本体１０には、その開口部で外方に折り返されることにより、フランジ１４が形成されている。
【００１４】
捲回部材２０は、前記容器本体胴部１１の外周面に空隙Ａを形成するように捲回装着されており、その下端部で容器本体脚部１３の内周面に至るように巻き込み部２１が形成され、上端部には内方へ湾曲するカール部２２が設けられている。
【００１５】
巻き込み部２１の底部内側面２１ａの一部は、前記脚部１３の下端面に当接しており、巻き込み部２１の一部２１ｂは脚部１３の内周面に接着されている。このような構造とすると、容器１の上下方向に加えられる圧力を巻き込み部２１及び脚部１３の双方で受けることになるため、耐圧強度が高められる。そして、捲回部材２０の外側面には、後述のように樹脂フィルムが被覆されており、上記巻き込み構造により容器１の底部は完全に捲回部材２０の外側面で占められることになるので、容器１の底部の耐水性が保証される。
【００１６】
さらに、容器本体脚部１３外周面と、それに向き合う捲回部材２０下方部分とが離間するように成形されているので、捲回部材２０の巻き込み部２１底部の横幅が確保されている。従って、調理・喫食時の容器の安定性が増し、容器本体脚部の断熱性も維持できる。また、底部内側面２１ａ上に、空隙Ａを確実に維持するためのスペーサーを配設することもできる。
【００１７】
また、捲回部材２０の上端部に設けられたカール部２２は、容器本体１０の開口部のフランジ１４の下端面に接して係止されている。かくして、捲回部材２０の上端部と容器本体１０のフランジ１４とが一体的に持ち合い、開口部の強度が増すうえ、開口部を飲食に好ましい形状に維持できる。
【００１８】
尚、捲回部材２０の側部が容器本体胴部１１と略同のテーパー形状となるように捲回部材２０の上端カール部２２と下端巻き込み部２１とを形成することによって、空隙Ａが容器１の上端より底部まで均一幅に形成され、よって容器側部全面で均一な断熱性が得られる。
【００１９】
空隙Ａには、容器本体１１から放出された熱を遮断できる断熱材を介挿してもよい。
【００２０】
容器本体１０および捲回部材２０の材質としては、紙を基材としたものであれば特に限定されることはなく、適度の強度、可撓性および剛性を備えたものが選択される。通常、単層または多層構造の紙の片面または両面に、熱湯または電子レンジ等による加熱調理時に溶融・溶離しない、ポリエチレン、ポリプロピレン等の樹脂フィルムがラミネートされ、液体が浸透しないようにしたものが採用される。容器１からの液体漏れが生じないよう、且つ容器の耐水性が保証されるよう、ラミネート面は少なくとも容器本体１０の内側面と、捲回部材２０の外側面に設けられることが好ましい。更に、容器本体１０の内側面にはアルミホイル等の金属箔と前記樹脂フィルムをラミネートすることにより、耐水性等のバリアー性をより高めることができる。
【００２１】
本発明の断熱性二重紙容器の製造方法において、容器本体１０は常法により製造されるものであり、捲回部材２０を予めその巻き込み部２１を形成するように成形しておいて容器本体１０に下方から挿嵌し、巻き込み部２１端部の内周面２１ｂと容器本体脚部１３の内周面とを接着する。接着方法としては、捲回部材挿嵌後に脚部をヒートシールする方法、または捲回部材挿嵌前に、捲回部材または容器本体脚部の接着面の少なくともいずれか一方にエチレン酢酸ビニル共重合体（EVA）、ポリアミド、ポリエステル、アタックティックポリプロピレンなどを主材に、ロジン系樹脂、石油樹脂等を配合したホットメルト樹脂（溶融温度１５０〜２００℃）を塗布しておく方法などが挙げられる。
【００２２】
図２は、本発明の他の実施形態にかかる容器の上端近傍が示された縦断面図である。
【００２３】
この実施形態では、捲回部材３０の上端部に、内方への折り返し部３２が形成されており、容器本体１０のフランジ１４の下端面に接して係止している。この折り返し部３２によっても、上記カール部２２と同様、開口部の強度増大と、飲食に好適な開口部形状の維持が成し遂げられる。
【００２４】
図３は、本発明のさらなる他の実施形態にかかる容器の下端近傍が示された縦断面図である。この図に示されるように、捲回部材４０の巻き込み部４１において、容器本体脚部１３に向き合う内側面４１ｃの一部と、容器本体脚部１３の外周面とを接着させることで、容器本体１０と捲回部材４０との接合がさらに強固になる。
【００２５】
図４（ａ）は、本発明のさらなる他の実施形態にかかる容器を示す、一部が省略された縦断面図であり、図４（ｂ）は、さらに別の実施形態にかかる容器の下端部分が示された縦断面図である。
【００２６】
図４（ａ）に示す本発明の容器２は、容器本体５０の脚部５３がその底部で外方へ湾曲したカール部５５を具備する。このカール部５５は、空隙Ａ内において巻き込み部２１の底部内側面２１ａ上でスペーサーの役割を果たし、従って、容器２が把持された場合等に付される横方向の加圧に対する耐圧強度が増すとともに、捲回部材２０の巻き込み部２１と容器本体脚部５３の接着強度を高めることができる。さらに、このようにカール部１５を備えた場合に、図４（ｂ）に示すように捲回部材６０の巻き込み部６１を、カール部５５に併走させて、好ましくは双方の部材の接触部を貼着してもよい。こうして容器本体脚部５３と捲回部材６０との接合をより強固にすることで、さらなる耐圧性の向上が期待される。
【００２７】
【発明の効果】
以上のとおり、本発明によって、好ましい外観を備え、優れた断熱性、耐水性、耐圧性、安定性を有する断熱性二重紙容器が提供される。この容器は、特に複雑な工程を経ることなく、従前の製造方法に従って製造されるので生産性にも優れている。
【図面の簡単な説明】
【図１】本発明による容器の一実施形態を示す部分縦断面図である。
【図２】本発明による容器の他の一実施形態を示す部分縦断面図である。
【図３】本発明による容器のさらなる他の一実施形態を示す部分縦断面図である。
【図４】本発明による容器のさらなる他の一実施形態を示す部分縦断面図である。
【図５】従来の断熱性二重紙容器を示す部分縦断面図である。
【符号の説明】
１，２    ……断熱性二重紙容器
１０，５０……容器本体
１１      ……胴部
１２      ……底板部
１３，５３……脚部
１４      ……フランジ
１５，５５……カール部
２０，３０，４０，６０……捲回部材
２１，４１，６１……巻き込み部
２２      ……カール部
３２      ……折り返し部
【図１】
0003618229.tif 000002
【図２】
0003618229.tif 000003
【図３】
0003618229.tif 000004
【図４】
0003618229.tif 000005
【図５】
0003618229.tif 000006